(57)【要約】【課題】この発明は、ケーブルの吊り作業を簡単に行うことができるエレベータを得る。【解決手段】この発明のエレベータは、昇降路内を昇降する乗りかごと、前記昇降路内に固定された支持部材３と、この支持部材３に固定された制御盤４と、一端部が制御盤４に接続され他端部が乗りかごに接続され制御盤４と乗りかごとの間で電力送電、信号伝送を行うケーブル５と、このケーブル５を支持したエレベータのケーブル吊り装置６とを備え、ケーブル吊り装置６は、支持部材３に固定されている。【選択図】        図１
2004262611.tif 000002
【特許請求の範囲】
【請求項１】
昇降路内を昇降する乗りかごと、前記昇降路内に固定された支持部材と、この支持部材に固定された制御盤と、一端部が前記制御盤に接続され他端部が前記乗りかごに接続され制御盤と乗りかごとの間で電力送電、信号伝送を行うケーブルと、このケーブルを支持したケーブル吊り装置とを備えたエレベータにおいて、
前記ケーブル吊り装置は、前記支持部材に固定されていることを特徴とするエレベータ。
【請求項２】
前記ケーブル吊り装置は、前記制御盤の近傍直下に配置されている請求項１に記載のエレベータ。
【請求項３】
前記支持部材は、前記昇降路に沿って一対平行に延びて設けられており、前記ケーブル吊り装置は一対の前記支持部材に支持されている請求項１または請求項２に記載のエレベータ。
【請求項４】
前記ケーブル吊り装置は、一対の前記支持部材に跨ったベースと、このベースに固定された第１の挟持部材と、この第１の挟持部材と協同して前記ケーブルを挟持した第２の挟持部材とを備えている請求項３に記載のエレベータ。
【請求項５】
前記第１の挟持部材および前記第２の挟持部材は、中間部で湾曲状に隆起している請求項４に記載のエレベータ。
【発明の詳細な説明】
【０００１】
【発明の属する技術分野】
この発明は、制御盤と乗りかごとを接続し、制御盤と乗りかごとの間で電力送電、信号伝送を行うケーブルを支持したケーブル吊り装置を備えたエレベータに関するものである。
【０００２】
【従来の技術】
従来、昇降路内を昇降する乗りかごと、機械室に配置された制御盤と、一端部が前記制御盤に接続され他端部が前記乗りかごに接続されたケーブルと、このケーブルの途中でケーブルを支持した吊り金具とを備え、ケーブルにより制御盤と乗りかごとの間で電力送電、信号伝送を行うエレベータが知られている（例えば、特許文献１参照）。
【０００３】
【特許文献１】
特開平１０−５９６５２号公報（図１）
【０００４】
【発明が解決しようとする課題】
従来のエレベータでは、吊り金具が昇降路の内壁面に設けられており、その吊り金具を内壁面に固定し、その後この吊り金具にケーブルを接続する接続作業をしなければならず、据え付けに手間が掛かるという問題点があった。
【０００５】
この発明は、かかる問題点を解決することを課題とするものであって、ケーブルの吊り作業を簡単に行うことができ、据え付け時間の短縮化を図ることができるエレベータを得ることを目的とする。
【０００６】
【課題を解決するための手段】
この発明に係るエレベータは、昇降路内を昇降する乗りかごと、前記昇降路内に固定された支持部材と、この支持部材に固定された制御盤と、一端部が前記制御盤に接続され他端部が前記乗りかごに接続され制御盤と乗りかごとの間で電力送電、信号伝送を行うケーブルと、このケーブルを支持したエレベータのケーブル吊り装置とを備えたものにおいて、前記ケーブル吊り装置は、前記支持部材に固定されている。
【０００７】
【発明の実施の形態】
実施の形態１．
図１はこの発明の実施の形態１のエレベータの要部正面図、図２は図１のケーブル吊り装置の正面図、図３は図２の側面図である。
【０００８】
このエレベータは、昇降路内の上部で上下方向に延びたガイドレール１により案内されて昇降する乗りかご（図示せず）と、このガイドレール１に水平方向に延びて固定された一対の腕部材２と、この一対の腕部材２にボルト１６により固定され上下方向に延びた一対の支持部材３と、断面Ｌの字形状の支持部材３に固定された制御盤４と、一端部が制御盤４に接続され他端部が乗りかごに接続され制御盤４と乗りかごとの間で電力送電、信号伝送を行う可撓性を有するケーブル５と、制御盤４の近傍直下で一対の支持部材３に一対のボルト１５により固定されたケーブル吊り装置６を備えている。
【０００９】
ケーブル吊り装置６は、一対の支持部材３に跨っており両端部が直角に折曲されたベース７と、このベース７の平面部にケーブル５の両側の４個のボルト１１により固定された第１の挟持部材８と、この第１の挟持部材８にケーブル５の両側の４個のボルト１２により固定された第２の挟持部材９とを備えている。ケーブル５は、第１の挟持部材８と第２の挟持部材９との間にボルト１２の締結力で挟持されて、支持されている。
また、第１の挟持部材８および第２の挟持部材９はそれぞれ中間部で湾曲状に隆起しており、ケーブル５もそれに合わせてケーブル吊り装置６内で湾曲状に隆起している。
【００１０】
上記構成のエレベータでは、ケーブル５の自重が制御盤４に及ぶのを防止しているケーブル吊り装置６は、ボルト１５により制御盤４と同様に支持部材３に固定されており、現場で制御盤４を支持部材３に固定する際に、合わせてケーブル吊り装置６を支持部材３に固定することで、据え付け時間の短縮化を図ることができる。
また、ケーブル吊り装置６は、制御盤４の近傍直下に配置されているので、据え付け時間がさらに短縮されるとともに、昇降路内の機器のレイアウトが簡素化される。
【００１１】
また、支持部材３は、昇降路に沿って一対平行に延びて設けられており、かつケーブル吊り装置６は一対の支持部材３で支持されており、ケーブル吊り装置６は、２点支持されているので、支持部材３に確実に安定して固定される。
【００１２】
また、ケーブル吊り装置６は、支持部材３に跨ったベース７と、このベース７に固定された第１の挟持部材８と、この第１の挟持部材８と協同してケーブル５を挟持した第２の挟持部材９とを備えているので、ケーブル吊り装置６は、ケーブル５を簡単な構造で確実に支持することができる。
また、ケーブル５の交換の際には、ボルト１２を外して第２の挟持部材９を第１の挟持部材８から取り外すことで、ケーブル５の交換が可能であり、その作業も容易である。
また、第１の挟持部材８および第２の挟持部材９はそれぞれ中間部で湾曲状に隆起しており、ケーブル５もそれに合わせてケーブル吊り装置６内で湾曲状に隆起しているので、第１の挟持部材８および第２の挟持部材９と、平板状のケーブル５との接触面積が大きく、両者間の摩擦力は増大し、ケーブル５は第１の挟持部材８および第２の挟持部材９でより確実に保持される。
【００１３】
なお、上記実施の形態では、制御盤４は、支持部材３、腕部材２を介してガイドレール１により、昇降路内に固定されているが、制御盤が固定された支持部材が昇降路の内壁に直接固定されているものでもよい。また、制御盤は、支持部材、腕部材を介して釣合重りのガイドレールにより、昇降路内に固定されるようにしてもよい。
また、上記実施の形態では、支持部材３が一対平行に設けられていたが、勿論制御盤が一本の支持部材に固定され、この支持部材にケーブル吊り装置を固定するようにしてもよい。
また、この発明は、ロープにより乗りかごが昇降するエレベータについて説明したが、油圧により昇降するエレベータにも適用することができる。
【００１４】
【発明の効果】
以上説明したように、この発明に係るエレベータによれば、昇降路内を昇降する乗りかごと、前記昇降路内に固定された支持部材と、この支持部材に固定された制御盤と、一端部が前記制御盤に接続され他端部が前記乗りかごに接続され制御盤と乗りかごとの間で電力送電、信号伝送を行うケーブルと、このケーブルを支持したケーブル吊り装置とを備え、前記ケーブル吊り装置は、制御盤と同様に前記支持部材に固定されているので、制御盤を支持部材に固定する際に、合わせてケーブル吊り装置を支持部材に固定することができ、据え付け時間の短縮化を図ることができる。
【図面の簡単な説明】
【図１】この発明の実施の形態１のエレベータの要部正面図である。
【図２】図１のケーブル吊り装置の正面図である。
【図３】図２の側面図である。
【符号の説明】
３  支持部材、４  制御盤、５  ケーブル、６  ケーブル吊り装置、７  ベース、８  第１の挟持部材、９  第２の挟持部材。
【図１】
2004262611.tif 000003
【図２】
2004262611.tif 000004
【図３】
2004262611.tif 000005